(57)【要約】  本発明は、参照信号シーケンスを送信するための方法およびデバイスを提供する。方法は、リソースブロックペア中のePDCCHにマップされたeCCEまたはeREGの位置を決定するステップと、リソースブロックペア中のeCCEまたはeREGの位置と参照信号のアンテナポートの間の対応関係に従って、参照信号のアンテナポートを決定するステップと、参照信号のアンテナポートを介して参照信号シーケンスを送信するステップとを含み、ここで、リソースブロックペア中のeCCEまたはeREGの位置と参照信号のアンテナポートの間の対応関係は、少なくとも2つのeCCEまたは少なくとも2つのeREGの位置が参照信号のアンテナポートの1つに対応することを含む。本発明の実施形態において適用される技術的解決策は、アンテナポートの数が制限されている場合にアンテナポートを介して参照信号シーケンスを送信できないので、参照信号シーケンスを使用することによってePDCCHのためのチャネル推定を実行する能力が低下するという問題を解決できる。
2015522993.tif 000002
【特許請求の範囲】
【請求項１】
参照信号シーケンスを送信するための方法であって、
リソースブロックペア中の拡張型物理的ダウンリンク制御チャネルePDCCHにマップされる拡張型制御チャネル要素eCCEまたは拡張型リソース要素グループeREGの位置を決定するステップと、
前記リソースブロックペア中の前記eCCEまたは前記eREGの位置と前記参照信号のアンテナポートの間の対応関係に従って、前記参照信号の前記アンテナポートを決定するステップであって、前記リソースブロックペア中の前記eCCEまたは前記eREGの位置と参照信号のアンテナポートの間の対応関係は、少なくとも2つのeCCEまたは少なくとも2つのeREGの位置が参照信号のアンテナポートの1つに対応することを含む、ステップと、
参照信号のアンテナポートを介して参照信号シーケンスを送信するステップと
を有することを特徴とする方法。
【請求項２】
前記リソースブロックペア中の前記ePDCCHにマップされる前記eCCEまたは前記eREGの位置を決定するステップは、
前記リソースブロックペア中の前記ePDCCHにマップされる前記eCCEまたは前記eREGのシリアル番号を決定するステップを有することを特徴とする請求項１に記載の方法。
【請求項３】
前記リソースブロックペア中の前記eCCEまたは前記eREGの位置と前記参照信号の前記アンテナポートの間の前記対応関係は、
エクステンドサイクリックプリフィックスCPの場合、シリアル番号が偶数である前記eCCEまたは前記eREGはアンテナポート7に対応し、シリアル番号が奇数である前記eCCEまたは前記eREGはアンテナポート8に対応するか、または前記エクステンドCPの場合、シリアル番号が偶数である前記eCCEまたは前記eREGはアンテナポート8に対応し、シリアル番号が奇数である前記eCCEまたは前記eREGはアンテナポート7に対応する
ことを含むことを特徴とする請求項２に記載の方法。
【請求項４】
前記リソースブロックペア中の前記eCCEまたは前記eREGの位置と前記参照信号の前記アンテナポートの間の前記対応関係は、
エクステンドサイクリックプリフィックスCPの場合、シリアル番号が1からnである前記eCCEまたは前記eREGはアンテナポート7に対応し、シリアル番号がn-1からNである前記eCCEまたは前記eREGはアンテナポート8に対応するか、または前記エクステンドCPの場合、シリアル番号が0からnである前記eCCEまたは前記eREGはアンテナポート8に対応し、シリアル番号がn-1からNである前記eCCEまたは前記eREGはアンテナポート7に対応することを含み、
Nは前記eCCEまたは前記eREGの総数であり、nは1以上かつN以下の正の整数である
ことを特徴とする請求項２に記載の方法。
【請求項５】
前記参照信号の前記アンテナポートを介して前記参照信号シーケンスを送信するステップの前に、
前記リソースブロックペア中の前記eCCEまたは前記eREGの位置と擬似ランダムシーケンスの初期化パラメータの間の対応関係に従って、前記擬似ランダムシーケンスの前記初期化パラメータを決定するステップと、
前記擬似ランダムシーケンスの前記初期化パラメータに従って、前記参照信号シーケンスを決定するステップと
をさらに有することを特徴とする請求項１から４のいずれか一項に記載の方法。
【請求項６】
前記擬似ランダムシーケンスの前記初期化パラメータに従って、前記参照信号シーケンスを決定するステップは、
【数１】
2015522993.tif 000010
に従って、前記擬似ランダムシーケンスの初期設定値を決定するステップであって、Cinitは前記擬似ランダムシーケンスの前記初期設定値であり、nsはスロット番号であり、nSCIDはスクランブル識別子であり、nSCIDおよび/またはXは、前記擬似ランダムシーケンスの前記初期化パラメータである、ステップと、
前記擬似ランダムシーケンスの前記初期設定値に従って、前記擬似ランダムシーケンスの前記初期設定値に対応する擬似ランダムシーケンスを決定するステップと、
前記擬似ランダムシーケンスに従って、参照信号シーケンスを決定するステップと
を有することを特徴とする請求項５に記載の方法。
【請求項７】
リソースブロックペア中の拡張型物理的ダウンリンク制御チャネルePDCCHにマップされる拡張型制御チャネル要素eCCEまたは拡張型リソース要素グループeREGの位置を決定するように構成される第1の決定ユニットと、
前記リソースブロックペア中の前記eCCEまたは前記eREGの位置と参照信号のアンテナポートの間の対応関係に従って、前記参照信号の前記アンテナポートを決定するように構成される第2の決定ユニットであって、前記リソースブロックペア中の前記eCCEまたは前記eREGの位置と前記参照信号の前記アンテナポートの間の前記対応関係は、少なくとも2つのeCCEまたは少なくとも2つのeREGの位置が前記参照信号のアンテナポートの1つに対応することを含む、第2の決定ユニットと、
前記参照信号の前記アンテナポートを介して参照信号シーケンスを送信するように構成される送信ユニットと
を具備することを特徴とする参照信号シーケンスを送信するためのデバイス。
【請求項８】
前記第1の決定ユニットは、前記リソースブロックペア中の前記ePDCCHにマップされる前記eCCEまたは前記eREGのシリアル番号を決定するように具体的に構成されることを特徴とする請求項７に記載のデバイス。
【請求項９】
前記参照信号シーケンスを送信するための前記デバイスは、
前記リソースブロックペア中の前記eCCEまたは前記eREGの位置と擬似ランダムシーケンスの初期化パラメータの間の対応関係に従って、前記擬似ランダムシーケンスの前記初期化パラメータを決定するように構成される、第3の決定ユニットと、
前記擬似ランダムシーケンスの前記初期化パラメータに従って、前記参照信号シーケンスを決定するように構成される、第4の決定ユニットと
をさらに具備することを特徴とする請求項７または８に記載のデバイス。
【請求項１０】
前記第4の決定ユニットは、
【数２】
2015522993.tif 000011
に従って、前記擬似ランダムシーケンスの初期設定値を決定するように構成される、第5の決定ユニットであって、Cinitは前記擬似ランダムシーケンスの前記初期設定値であり、nsはスロット番号であり、nSCIDはスクランブル識別子であり、nSCIDおよび/またはXは、前記擬似ランダムシーケンスの前記初期化パラメータである、第5の決定ユニットと、
前記擬似ランダムシーケンスの前記初期設定値に従って、前記擬似ランダムシーケンスの前記初期設定値に対応する擬似ランダムシーケンスを決定するように構成される、第6の決定ユニットと、
前記擬似ランダムシーケンスに従って、参照信号シーケンスを決定するように構成される、第7の決定ユニットと
を具備することを特徴とする請求項９に記載のデバイス。
【発明の詳細な説明】
【技術分野】
【０００１】
本発明は、通信技術に関し、特に、参照信号シーケンスを送信するための方法およびデバイスに関する。
【背景技術】
【０００２】
エルテーイー(Long Term Evolution, LTE)システムまたはエルテーイーアドバンス(Long Term Evolution Advanced, LTE-A)システムなどのワイヤレス通信システムにおいて、拡張型物理的ダウンリンク制御チャネル(Enhanced Physical Downlink Control Channel, ePDCCH)が導入され、ePDCCHのためのチャネル推定が参照信号シーケンスを使用して実行され得る。
【０００３】
参照信号シーケンスを使用してePDCCHのためのチャネル推定を実行するとき、リソースブロックペア中のePDCCHの数は、参照信号シーケンスを送信するためのアンテナポートの数よりも多いことがあり、アンテナポートの数が制限されている条件において、参照信号シーケンスがアンテナポートを介して送信できないことがあるということを引き起こし、それによってePDCCHへのチャネル推定を実行するために参照信号シーケンスを使用する能力が低下する。
【発明の概要】
【課題を解決するための手段】
【０００４】
本発明の態様では、参照信号シーケンスを送信するための方法およびデバイスを提供し、その方法およびデバイスは、アンテナポート数が制限される条件において、参照信号シーケンスをアンテナポートを介して送信できないことがあり、それによってePDCCHへのチャネル推定を実行するために参照信号シーケンスを使用する能力が低下するという問題を解決するために使用される。
【０００５】
一態様では、本発明の態様は、リソースブロックペア中の拡張型物理的ダウンリンク制御チャネルePDCCHにマップされる拡張型制御チャネル要素eCCEまたは拡張型リソース要素グループeREGの位置を決定するステップと、前記リソースブロックペア中の前記eCCEまたは前記eREGの位置と参照信号のアンテナポートの間の対応関係に従って、前記参照信号の前記アンテナポートを決定するステップと、参照信号のアンテナポートを介して参照信号シーケンスを送信するステップとを有し、前記リソースブロックペア中の前記eCCEまたは前記eREGの位置と参照信号のアンテナポートの間の対応関係は、少なくとも2つのeCCEまたは少なくとも2つのeREGの位置が参照信号のアンテナポートの1つに対応することを含む、参照信号シーケンスを送信するための方法を提供する。
【０００６】
別の態様では、本発明の態様は、リソースブロックペア中の拡張型物理的ダウンリンク制御チャネルePDCCHにマップされる拡張型制御チャネル要素eCCEまたは拡張型リソース要素グループeREGの位置を決定するように構成される第1の決定ユニットと、前記リソースブロックペア中の前記eCCEまたは前記eREGの位置と参照信号のアンテナポートの間の対応関係に従って、前記参照信号の前記アンテナポートを決定するように構成される第2の決定ユニットであって、前記リソースブロックペア中の前記eCCEまたは前記eREGの位置と参照信号のアンテナポートの間の対応関係は、少なくとも2つのeCCEまたは少なくとも2つのeREGの位置が参照信号のアンテナポートの1つに対応することを含む、第2の決定ユニットと、参照信号のアンテナポートを介して参照信号シーケンスを送信するように構成される送信ユニットとを具備する参照信号シーケンスを送信するためのデバイスを提供する。
【０００７】
本発明によって提供される技術的解決策を使用することで、リソースブロックペア中のePDCCHの数がアンテナポートの数より多いとき、参照信号シーケンスを送信するためのアンテナポートが、リソースブロックペア中のeCCEまたはeREGの位置と参照信号のアンテナポートの間の関係に従って決定され得、その結果、ePDCCHにマップされるeCCEまたはeREGは、アンテナポート上で多重化され得、さらに、複数のePDCCHが、異なる参照信号シーケンスを送信するために同じアンテナポートを使用することができ、それによって、アンテナポート数が制限されるときに、参照信号シーケンスをアンテナポートを介して送信できないことがあり、それによってePDCCHのためのチャネル推定を実行するために参照信号シーケンスを使用する能力が低下するという問題を解決する。
【０００８】
本発明の実施形態または従来技術における技術的解決策をより明確に記載するために、実施形態または従来技術を記述するために必要とされる添付の図面が、以下に簡潔に導入される。以下の説明における添付の図面は、単に本発明のいくつかの実施形態を示すに過ぎず、本分野の通常の技術を有する者は、創造的な努力なくこれらの添付の図面から他の図面を導出することができる。
【図面の簡単な説明】
【０００９】
【図１】本発明の実施形態によって提供される参照信号シーケンスを送信するための方法の概略的なフローチャートである。
【図２】本発明の別の実施形態によって提供される参照信号シーケンスを送信するための方法の概略的なフローチャートである。
【図３】本発明の別の実施形態によって提供される参照信号シーケンスを送信するためのデバイスの概略的な構成図である。
【図４（１）】本発明の別の実施形態によって提供される参照信号シーケンスを送信するためのデバイスの概略的な構成図である。
【図４（２）】図４(１)に対応する実施形態による第4の決定ユニットの概略的な構成図である。
【図５】本発明の別の実施形態によって提供される参照信号シーケンスを送信するためのデバイスの概略的な構成図である。
【発明を実施するための形態】
【００１０】
本発明の目的、技術的解決策、実施形態の利点をより明確にするために、本発明の実施形態の技術的解決策は、本発明の実施形態における添付の図面を参照して、以下に明確にかつ包括的に記載される。記載される実施形態は、本発明の全ての実施形態ではなく単なる一部である。本分野の通常の技術を有する者が創造的な努力なく本発明の実施形態に基づいて取得する他の実施形態の全ては、本発明の保護範囲に含まれる。
【００１１】
本発明の技術的解決策は、モバイル通信のためのグローバルシステム(Global System for Mobile Communications、GSM(登録商標)と呼ぶ)、汎用パケット無線サービス(General Packet Radio Service, GPRSと呼ぶ)システム、符号分割多元接続(Code Division Multiple Access、CDMAと呼ばれる)システム、CDMA2000システム、広帯域符号分割多元接続(Wideband Code Division Multiple Access、WCDMA(登録商標)と呼ぶ)システム、エルテーイー(Long Term Evolution、LTE)システム、エルテーイーアドバンス(Long Term Evolution Advanced、LTE-A)システム、または、ワイマックス(World Interoperability for Microwave Access、WiMAXと呼ぶ)システムなどの様々なワイヤレス通信システムに適用できる。
【００１２】
本発明の技術的解決策は、LTE/LTE-Aシステムにおけるノーマルサイクリックプリフィックス(normal cyclic prefix、ノーマルCPと呼ぶ)またはエクステンドサイクリックプリフィックス(extended cyclic prefix、エクステンドCPと呼ぶ)の構成など、上記のシステムの異なる構成に適用できる。
【００１３】
基地局は、GSM(登録商標)システム、GPRSシステム、またはCDMAシステムにおける基地局装置(Base Transceiver Station、BTSと呼ぶ)であり得、CDMA2000システムまたはWCDMA(登録商標)システムにおけるノードB(NodeB)でもあり得、LTEシステムにおける拡張ノードB(Evolved NodeB、eNBと呼ぶ)でもあり得、WiMAXネットワークにおける接続サービスネットワーク基地局(Access Service Network Base Station、ASN BSと呼ぶ)、および他のネットワーク要素であり得る。
【００１４】
加えて、本明細書における用語「および/または」は、単に関連する対象を記載するための関係に過ぎず、このことは、例えば、Aおよび/またはBが、3つの条件：Aのみが存在する、AおよびBが同時に存在する、Bのみが存在する、を表し得る3種類の関係があり得ることを表す。加えて、本願における記号「/」は、一般に、その前後の対象間の関係が「または」であることを示している。
【００１５】
図1を参照して、本願の実施形態は参照信号シーケンスを送信するための方法を提供する。
【００１６】
101.リソースブロックペア中のePDCCHにマップされたeCCEまたはeREGの位置を決定する。
【００１７】
リソースブロックペアは2つのリソースブロックを含み得ることに留意すべきである。リソースブロック(Resource Block、RB)は、物理層リソースブロック(Physical Resource Block、PRB)および仮想リソースブロック(Virtual Resource Block、VRB)に分けられ得る。PRBは、リソースブロックの実際の周波数の位置を参照し、最小から最大まで番号付され、VRBは、PRBとは異なる別の方法で番号付けされ、VRBは、具体的なリソース割り当て法によってPRBにマップされ得る。リソースブロックペア中のePDCCHにマップされるeCCEまたはeREGの位置は、リソースブロックペア中のeCCEまたはeREGのシリアル番号を含むことができる。異なるユーザ装置のePDCCHは、異なるeCCEまたはeREGにマップされ得る。
【００１８】
eCCEまたはeREGは、ePDCCHにマップされる最小のリソースであり、いくつかのリソース要素(Resource Element、RE)から成るREのセットである。具体的に、PRBペアは、4またはそれより多くのeCCEまたはeREGに分割され得る。ユーザ装置が占めるePDCCHは、少なくとも1つのeCCEまたはeREGを使用する必要がある。リソースブロックペア中のePDCCHにマップされるeCCEまたはeREGの位置は、ePDCCHがユーザ装置によって占有されるときに使用される、リソースブロックペア中のeCCEまたはeREGの位置であり得る。
【００１９】
102.リソースブロックペア中のeCCEまたはeREGの位置と参照信号のアンテナポートの間の対応関係に従って、参照信号のアンテナポートを決定する。ここで、リソースブロックペア中のeCCEまたはeREGの位置と参照信号のアンテナポートの間の対応関係は、少なくとも2つのeCCEの位置または少なくとも2つのeREGの位置が参照信号のアンテナポートの1つに対応することを含む。
【００２０】
本発明の実施形態では、リソースブロックペア中のeCCEまたはeREGの位置と参照信号のアンテナポートの間の対応関係は、例えばプロトコル中で合意されるなど、事前設定(preset)され得る。リソースブロックペア中のeCCEまたはeREGの位置と参照信号のアンテナポートの間の事前設定された対応関係は、異なるユーザ装置が占有するePDCCHが1つのリソースブロックペア中に多重化される必要があるとき、異なるユーザ装置のそれぞれのePDCCHが異なるeCCEまたはeREGにマップされることであり得、その結果、異なるユーザ装置のePDCCHが異なるアンテナポートを使用できるか、または異なるユーザ装置のePDCCHが同じアンテナポートであるが、異なる参照信号シーケンスを使用することができるということが達成され得る。
【００２１】
例えば、エクステンドCPの場合、現在のところアンテナポート7およびアンテナポート8のみが使用に利用可能である。エクステンドCPの場合、ユーザ装置の数が2より多い場合、アンテナポートを介して対応する参照信号シーケンスを送信することが不可能であることがある。本発明によって提供される技術的解決策において、異なるユーザ装置(具体的には、異なるユーザ装置が占有するePDCCHであり得る)は、異なるeCCEまたはeREGにマップされ、参照信号シーケンスを送信するために使用され得るアンテナポートがリソースブロックペア中のeCCEまたはeREGの位置に従って決定される。エクステンドCPの場合、アンテナポート7およびアンテナポート8のみが使用に利用可能であり、異なるユーザ装置が占有するePDCCHは、異なるeCCEまたはeREGにマップされる。例として、シリアル番号がそれぞれeCCE0、eCCE1、eCCE2、およびeCCE3である、4つeCCEまたはeREGを含むリソースブロックペアを取り上げる。選択的に、シリアル番号が偶数であるeCCEまたはeREGがアンテナポート7に対応し、シリアル番号が奇数であるeCCEまたはeREGがアンテナポート8に対応するか、または、別法として、シリアル番号が偶数であるeCCEまたはeREGがアンテナポート8に対応し、シリアル番号が奇数であるeCCEまたはeREGがアンテナポート7に対応する。選択的に、エクステンドサイクリックプリフィックスCPの場合、シリアル番号が1からnであるeCCEまたはeREGがアンテナポート7に対応し、かつシリアル番号がn-1からNであるeCCEまたはeREGが、アンテナポート8に対応するか、または、エクステンドCPの場合、シリアル番号が0からnであるeCCEまたはeREGがアンテナポート8に対応し、かつシリアル番号がn-1からNであるeCCEまたはeREGがアンテナポート7に対応する。ここで、NはeCCEまたはeREGの総数であり、nは1以上かつN以下の正の整数である。
【００２２】
例としてLTEシステムを取り上げると、eCCEまたはeREGの位置とアンテナポートの間の対応関係について、表1または表2が参照され得る。当業者は、表1または表2に記載された対応関係が参照のためであり、本発明がそれに限定されないことを理解すべきである。
【００２３】
表1：eCCEまたはeREGの位置とアンテナポートの間の対応関係
【表１】
2015522993.tif 000003
【００２４】
表2：eCCEまたはeREGの位置とアンテナポートの間の対応関係
【表２】
2015522993.tif 000004
【００２５】
選択的に、この実施形態の実行エンティティがユーザ装置であるとき、ユーザ装置は、高位レイヤシグナリングを介して基地局によって送信されるeCCEまたはeREGの位置とアンテナポートの間の対応関係を受信することができる。
【００２６】
例えば、高位レイヤシグナリングは、無線リソース制御(Radio Resource Control、RRC)メッセージであり得、具体的には、サブフレームパラメータがRRCメッセージ中の情報要素(Information Element、IE)によって伝送されることができ、RRCメッセージは、この実施形態では限定されないが、例えばRRC接続セットアップメッセージ、RRC接続再構成メッセージ、またはRRC接続再確立メッセージなどの、従来技術におけるRRCメッセージであってよく、既存のRRCメッセージ中のIEが対応関係を伝送するために拡張され得る。あるいは、RRCメッセージは、従来技術における既存のRRCメッセージと違ってもよい。
【００２７】
別の例について、高位レイヤシグナリングはまた、メディアアクセス制御(Media Access Control、MAC)制御要素(Control Element、CE)メッセージであってよく、対応関係は、新しいMAC CEを追加することによって伝送される。
【００２８】
103.参照信号のアンテナポートを介して、参照信号シーケンスを送信する。
【００２９】
上記ステップ101〜103の実行エンティティは、基地局でもよいし、またはユーザ装置でもよく、そのことは本発明において限定されないことに留意すべきである。
【００３０】
具体的には、ステップ103について、基地局は、参照信号のアンテナポートを介して、ePDCCHにおいて送信される参照信号シーケンスの送信を実行し得、ユーザ装置は、アンテナポートを介して、ePDCCHにおいて送信される参照信号シーケンスの受信を実行し得る。
【００３１】
この実施形態では、リソースブロックペア中のePDCCHにマップされるeCCEまたはeREGの位置を決定し、かつ位置に対応するアンテナポートを決定することによって、ePDCCHにマップされるeCCEまたはeREGがアンテナポート上で多重化され得、その上、複数のePDCCHが異なる参照信号シーケンスを送信するために同じアンテナポートを使用でき、このような方法で、リソースブロックペア中のePDCCHの数がアンテナポートの数より多いということによって引き起こされる、ユーザ装置が各ePDCCHについてチャネル推定を実行できないという問題を回避でき、従ってユーザ装置のチャネル推定の能力を向上できる。
【００３２】
本発明の別の実施形態は、参照信号シーケンスを送信するための方法を提供する。図2を参照すると、方法は、図1による実施形態に基づいてさらに拡張、改良されている。
【００３３】
200.リソースブロックペア中のePDCCHにマップされるeCCEまたはeREGの位置を決定する。
【００３４】
ステップ200は、図1に図示される実施形態のステップ101と同じであり、ここでは繰り返さないことに留意すべきである。
【００３５】
201.リソースブロックペア中のeCCEまたはeREGの位置と擬似ランダムシーケンスの初期化パラメータの間の対応関係に従って、擬似ランダムシーケンスの初期化パラメータを決定する。
【００３６】
選択的に、ステップ201では、一つのePDCCHにマップされる少なくとも1つのeCCEまたは少なくとも1つのeREGの位置は、少なくとも1つのeCCEまたは少なくとも1つのeREGのシリアル番号によって示される。ステップ201において、リソースブロックペア中のePDCCHにマップされる少なくとも1つのeCCEまたは少なくとも1つのeREGのシリアル番号が具体的に決定され得、すなわち、リソースブロックペア中のePDCCHにマップされるeCCEまたはeREGのシリアル番号のうち、eCCEまたはeREGの最小のシリアル番号が決定され得る。
【００３７】
例えば、集約レベルが1(aggregation level)の場合(すなわち、リソースブロックペアにおいて、ePDCCHが1つのeCCEまたは1つのeREGにマップされる)、リソースブロックペア中のePDCCHにマップされるeCCEまたはeREGのシリアル番号が具体的に決定され得、リソースブロックペア中のePDCCHにマップされるeCCEまたはeREGの位置として使用される。
【００３８】
例えば、集約レベルが2の場合(すなわち、リソースブロックペアにおいて、ePDCCHが2つのeCCEまたは2つのeREGにマップされる)、リソースブロックペア中のePDCCHにマップされる2つのeCCEまたは2つのeREGのうちのシリアル番号の小さい方のeCCEまたはeREGのシリアル番号が具体的に決定され得る。
【００３９】
例えば、集約レベルが4の場合(すなわち、リソースブロックペアにおいて、ePDCCHが4つのeCCEまたは4つのeREGにマップされる)、リソースブロックペア中のePDCCHにマップされる4つのeCCEまたは4つのeREGのシリアル番号のうちの最小のeCCEまたはeREGのシリアル番号が具体的に決定される。
【００４０】
選択的に、ステップ201の実行エンティティがユーザ装置であるとき、ユーザ装置は、リソースブロックペア中のeCCEまたはeREGの位置と擬似ランダムシーケンスの初期化パラメータの間の事前設定された、例えばプロトコル上で合意された、対応関係をさらに取得し得る。
【００４１】
選択的に、ステップ201の実行エンティティがユーザ装置であるとき、ユーザ装置は、リソースブロックペア中のeCCEまたはeREGの位置と擬似ランダムシーケンスの初期化パラメータの間の対応関係をさらに受信し得る。具体的には、ユーザ装置は、高位レイヤシグナリングを介して基地局によって送信された、リソースブロックペア中のeCCEまたはeREGの位置と擬似ランダムシーケンスの初期化パラメータの間の事前設定された対応関係を受信し得る。
【００４２】
例えば、高位レイヤシグナリングは、無線リソース制御(Radio Resource Control、RRC)メッセージであり得、具体的には、RRCメッセージ中の情報要素(Information Element、IE)は、サブフレームパラメータを伝送するために使用され得、RRCメッセージは、例えばRRC接続セットアップメッセージ、RRC接続再構成メッセージ、またはRRC接続再確立メッセージなどの、従来技術におけるRRCメッセージであってよく、この実施形態において限定されない。既存のRRCメッセージ中のIEが対応関係を伝送するために拡張されるか、またはRRCメッセージが従来技術の既存のRRCメッセージと異なっていてもよい。
【００４３】
別の例について、高位レイヤシグナリングはまた、メディアアクセス制御(Media Access Control、MAC)制御要素(Control Element、CE)メッセージであってよく、対応関係が新しいMAC CEを追加することによって伝送される。
【００４４】
選択的に、ステップ201において、リソースブロックペア中のeCCEまたはeREGの位置と擬似ランダムシーケンスの初期化パラメータの間の対応関係に従って、リソースブロックペア中のePDCCHにマップされる少なくとも1つのeCCEまたはREGの位置に対応する擬似ランダムシーケンスの初期化パラメータのグループが具体的に決定され得る。従って、擬似ランダムシーケンスの初期化パラメータの決定されたグループに従って、ePDCCH送信をサポートする参照信号シーケンスが決定され得る。
【００４５】
例として、それぞれeCCE0、eCCE1、eCCE2、eCCE3として番号付けされた4つのeCCEまたは4つのeREGを含むリソースブロックペアを取り上げる。例としてLTEシステムを取り上げると、eCCEまたはREGの位置と擬似ランダムシーケンスの初期化パラメータの間の対応関係について、表3を参照できる。表3に記載された対応関係が参照のためであり、本発明を限定するためのものではないことは当業者にとって当然のことである。
【００４６】
表3：eCCEまたはeREGの位置と擬似ランダム可変シーケンスの間の対応関係
【表３】
2015522993.tif 000005
【００４７】
選択的に、ステップ201では、リソースブロックペア中のePDCCHにマップされる少なくとも1つのeCCEまたはREGの位置に対応する擬似ランダムシーケンスの初期化パラメータの少なくとも2つのグループが、リソースブロックペア中のeCCEまたはREGの位置と擬似ランダムシーケンスの初期化パラメータの間の対応関係に従って、具体的に決定され得る。従って、擬似ランダムシーケンスの初期化パラメータの1つグループは、擬似ランダムシーケンスの初期化パラメータの少なくとも2つのグループから選択され得、擬似ランダムシーケンスの初期化パラメータの選択されたグループに従って、ePDCCH送信をサポートする参照信号シーケンスが決定され得る。
【００４８】
例として、それぞれeCCE0、eCCE1、eCCE2、eCCE3として番号付けされた4つのeCCEまたは4つのeREGを含むリソースブロックペアを取り上げる。例としてLTEシステムを取り上げると、eCCEまたはREGの位置と擬似ランダムシーケンスの初期化パラメータの間の対応関係について、表4を参照できる。表4に記載された対応関係が参照のためであり、本発明を限定するためのものではないことは当業者にとって当然のことである。
【００４９】
表4：eCCEまたはeREGの位置と擬似ランダム可変シーケンスの初期化パラメータの間の対応関係
【表４】
2015522993.tif 000006
【００５０】
ここでは、擬似ランダムシーケンスの初期化パラメータの少なくとも2つのグループから、擬似ランダムシーケンスの初期化パラメータの1つのグループを選択方針は、以下の通りである。
【００５１】
具体的には、擬似ランダムシーケンスの初期化パラメータのグループは、ユーザ装置の無線ネットワークテンポラリ識別子(Radio Network Temporary Identifier、RNTI)に従って、擬似ランダムシーケンスの初期化パラメータの少なくとも2つのグループから選択され得る。例えば、ユーザ装置のRNTIが奇数のとき、初期化パラメータの第1のグループが選択され、ユーザ装置のRNTIが偶数のとき、初期化パラメータの第2のグループが選択される。
【００５２】
具体的には、擬似ランダムシーケンスの初期化パラメータの1つのグループは、所定の規則に従って、擬似ランダムシーケンスの初期化パラメータの少なくとも2つのグループを選択され得る。例えば、初期化パラメータ中の最小の初期化パラメータのグループを選択する、または、初期化パラメータ中の最大の初期化パラメータのグループを選択する、あるいは、初期化パラメータ中の偶数値または奇数値を選択する。
【００５３】
選択的に、この実施形態の実行エンティティがユーザ装置である場合、ユーザ装置は基地局によって送信された高位レイヤシグナリングを受信し得、選択方針は高位レイヤシグナリング中に含まれる。
【００５４】
例えば、高位レイヤシグナリングは、無線リソース制御(Radio Resource Control、RRC)メッセージであり得、具体的には、RRCメッセージ中の情報要素(Information Element、IE)がサブフレームパラメータを伝送するために使用され得、RRCメッセージは、この実施形態では限定されないが、例えばRRC接続セットアップメッセージ、RRC接続再構成メッセージ、またはRRC接続再確立メッセージなどの、従来技術におけるRRCメッセージであってよく、既存のRRCメッセージ中のIEが対応関係を伝達するために拡張され得る。あるいは、RRCメッセージは従来技術における既存のRRCメッセージと違ってもよい。
【００５５】
別の例について、高位レイヤシグナリングはまた、メディアアクセス制御(Media Access Control、MAC)制御要素(Control Element、CE)メッセージであってよく、対応関係が新しいMAC CEを追加することによって伝送される。
【００５６】
202.擬似ランダムシーケンスの初期化パラメータに従って参照信号シーケンスを決定する。
【００５７】
選択的に、LTEシステムを例にとると、ステップ202は具体的には、以下のステップを含む。
【００５８】
202-1.擬似ランダムシーケンスの初期化パラメータに従って、擬似ランダムシーケンスの初期設定値を決定する。例えば、擬似ランダムシーケンスの初期設定値Cinitは、
【００５９】
【数１】
2015522993.tif 000007
【００６０】
に従って決定され得、ここで、nsはスロット番号であり、nSCIDは、スクランブル識別子であり、nSCIDおよび/またはXは、擬似ランダムシーケンスの初期化パラメータであり、nSCIDの値は0または1であり、Xの値は0から503である。
【００６１】
202-2.擬似ランダムシーケンスの初期設定値に従って、擬似ランダムシーケンスの初期設定値に対応する擬似ランダムシーケンスを決定する。例えば、ゴールドシーケンスは、ステップ202-1中に生成される擬似ランダムシーケンスの初期設定値Cinitに従って生成され得、擬似ランダムシーケンスの初期設定値に対応する擬似ランダムシーケンスとして取り上げられ得る。
【００６２】
202-3.擬似ランダムシーケンスに従って、ePDCCH送信をサポートする参照信号シーケンスを決定する。
【００６３】
例えば、それは、
【数２】
2015522993.tif 000008
【００６４】
に従い得、ここでc(2m)およびc(2m+1)は擬似ランダムシーケンスであり、r(m)はePDCCH送信をサポートする参照信号シーケンスである。
【００６５】
203.リソースブロックペア中のeCCEまたはeREGの位置と参照信号のアンテナポートの間の対応関係に従って、参照信号のアンテナポートを決定する。
【００６６】
ステップ203は、図1に図示された実施形態のステップ102と同様であり、ここでは詳細を繰り返さない。
【００６７】
204.参照信号のアンテナポートを介して参照信号シーケンスを送信する。
【００６８】
本分野の通常の技術を有する者は、ステップ200から204の間のステップ203の実行順序は固定でないことを理解すべきである。ステップ201から202は、リソースブロックペア中のeCCEまたはeREGの位置に従って参照信号シーケンスを決定するために使用される。ステップ203は、リソースブロックペア中のeCCEまたはeREGの位置に従ってアンテナポートを決定するために使用される。ステップ204は、決定したアンテナポートを介して参照信号シーケンスを送信するために使用される。
【００６９】
本発明によって提供される技術的解決策を使用することによって、リソースブロックペア中のeCCEまたはeREGの位置に従って、位置に対応するアンテナポートおよび位置に対応する参照信号シーケンスが決定され得、その結果、ePDCCHにマップされるeCCEまたはeREGがアンテナポート上で多重化され得る。その上、複数のePDCCHは、このように異なる参照信号シーケンスを送信するために同じアンテナポートを使用でき、それによって、アンテナポートの数が制限されているとき、参照信号シーケンスがアンテナポートを介して送信されることができないことがあるので、ePDCCHのためのチャネル推定を実行するために参照信号シーケンスを使用する能力が低下するという問題を回避できる。
【００７０】
さらに、基地局が、高位レイヤシグナリングを介して参照信号シーケンスの関連パラメータをユーザ装置に直接通知する場合、このアプローチの結果、各ユーザ装置が静的にまたは準静的に参照信号シーケンスにむけられ得、同じアンテナポートに対応するユーザ装置と参照信号シーケンスとが1つのリソースブロックペア中で多重化され得ないことになり、それゆえ、ユーザ装置の多重化の柔軟性は低下する。本発明中に提供される技術的解決策を使用して、各ユーザ装置と参照信号シーケンスの間の動的結合を達成でき、異なるユーザ装置が1つのリソースブロックペア中で多重化される必要があるとき、異なるユーザ装置のそれぞれのePDCCHのみが異なるeCCEまたはeREGにマップされるために動的に調整される必要があり、アンテナポートがリソースブロックペア中のeCCEまたはeREGの位置に従って決定され得るので、異なるユーザ装置は、異なるアンテナポートを使用するか、または異なるユーザ装置が同じアンテナポートかつ異なる参照信号シーケンスを使用することが達成でき、その結果、異なるユーザ装置が1つのリソースブロックペア中で多重化され得、それによって、ユーザ装置の多重化の柔軟性が増加する。
【００７１】
その上、本発明によって提供される技術的解決策を使用することで、基地局が、高位レイヤシグナリングを介して参照信号シーケンスのパラメータをユーザ装置に直接通知しなくともよく、従ってエアインタフェースシグナリングのオーバーヘッドを減少でき、エアインタフェースリソースを節約できる。
【００７２】
上記方法の実施形態の各々において、記載を簡潔にするために、一連の動作の組み合わせとして、それが表現されることに留意すべきであり、当業者は本発明によればあるステップが異なる順番で実行され得るか、または同時に実行され得るので、本発明が動作の記載された順序によって制限されないことに気付くべきである。加えて、本明細書に記載される全ての実施形態は望ましい実施形態であり、含まれる動作およびモジュールは本発明において必ず必要なものではないことにも当業者は気づくであろう。
【００７３】
上記実施形態では、各実施形態の記載は特有の重要性を有する。ある実施形態において詳細に記載されていない内容について、他の実施形態における関連する内容を参照できる。
【００７４】
図3は、本発明の別の実施形態によって提供される参照信号シーケンスを送信するためのデバイスの概略的な構成図である。図3に示されるように、この実施形態における参照信号シーケンスを送信するためのデバイスは、第1の決定ユニット31、第2の決定ユニット32、および送信ユニット33を含み得る。
【００７５】
第1の決定ユニット31は、リソースブロックペアにおいて、ePDCCHにマップされるeCCEまたはeREGの位置を決定するように構成される。
【００７６】
第2の決定ユニット32は、リソースブロックペア中のeCCEまたはeREGの位置と参照信号のアンテナポートの間の対応関係に従って決定するように構成される。ここで、リソースブロックペア中のeCCEまたはeREGの位置と参照信号のアンテナポートの間の対応関係は、少なくとも2つのeCCEまたは少なくとも2つのeREGの位置が、参照信号のアンテナポートの1つに対応することを含む。
【００７７】
送信ユニット33は、参照信号のアンテナポートを介して参照信号シーケンスを送信するように構成される。
【００７８】
リソースブロックペアは2つのリソースブロックを含み得ることに留意すべきである。リソースブロック(Resource Block、RB)は、物理層リソースブロック(Physical Resource Block、PRB)および仮想リソースブロック(Virtual Resource Block、VRB)に分けられ得る。PRBは、リソースブロックの実際の周波数の位置を参照し、最小から最大まで番号付けされ、VRBは、PRBとは異なる別の方法で番号付けされ、VRBは、具体的なリソース割り当て法によってPRBにマップされ得る。リソースブロックペア中のePDCCHにマップされるeCCEまたはeREGの位置は、リソースブロックペア中のeCCEまたはeREGのシリアル番号を含むことができる。異なるユーザ装置のePDCCHは、異なるeCCEまたはeREGにマップされ得る。
【００７９】
ここでは、eCCEまたはeREGは、ePDCCHにマップされる最小のリソースであり、いくつかのリソース要素(Resource Element、RE)から成るREのセットである。具体的には、PRBペアは4以上のeCCEまたはeREGにわかれ得る。
【００８０】
本発明の実施形態において、リソースブロックペア中のeCCEまたはeREGの位置と参照信号のアンテナポートの間の対応関係は、例えばプロトコル中で合意されるなど、事前設定され得る。リソースブロックペア中のeCCEまたはeREGの位置と参照信号のアンテナポートの間の対応関係は、異なるユーザ装置が1つのリソースブロックペア中に多重化される必要があるとき、異なるユーザ装置のそれぞれのePDCCHは、異なるeCCEまたはeREGにマップされ、その結果、異なるユーザ装置が異なるアンテナポートを使用するか、または異なるユーザ装置が同じアンテナポートであるが、異なる参照信号シーケンスを使用することが達成され得る。
【００８１】
選択的に、第1の決定ユニット31は、リソースブロックペア中のeCCEまたはeREGのシリアル番号を決定するように具体的に構成され得るか、または第1の決定ユニット31は、リソースブロックペア中のeCCEまたはeREGの最小のシリアル番号を決定するように具体的に構成され得る。
【００８２】
例として、エクステンドサイクリックプリフィックス(エクステンドCP)の場合、現在のところアンテナポート7およびアンテナポート8のみが使用するために利用可能である。エクステンドCPの場合、異なるユーザ装置の数が2以上である場合、アンテナポートを介して対応する参照信号シーケンスを送信することは不可能である。本発明によって提供される技術的解決策において、異なるユーザ装置(具体的には、異なるユーザ装置が占有するePDCCHであり得る)は、異なるeCCEまたはeREGにマップされ、参照信号シーケンスを送信するために利用可能なアンテナポートが、表1または表2に示されるように、リソースブロックペア中のeCCEまたはeREGの位置に従って決定され、その結果、CPの条件において、2つより多い異なるユーザ装置があるとき、参照信号シーケンスは、依然としてアンテナポートを介して送信されることができ、従ってユーザ装置のチャネル推定の能力が増加する。
【００８３】
本発明のこの実施形態は、図1に対応する方法の実施形態におけるステップを実行し得る。本発明のこの実施形態は、方法の実施形態におけるステップを実行し、方法の実施形態におけるステップを完了するための対応するユニットを使用することもできる。図1に対応する方法の実施形態における説明が本発明のこの実施形態に適用できる。
【００８４】
本発明によって提供される技術的解決策を使用して、リソースブロックペアにおけるePDCCHにマップされるeCCEまたはeREGの位置を決定し、かつ位置に対応するアンテナポートを決定することによって、ePDCCHにマップされるeCCEまたはeREGがアンテナポート上で多重化され得、その上、複数のePDCCHが異なる参照信号シーケンスを送信するために同じアンテナポートを使用でき、それによって、リソースブロックペア中のePDCCHの数がアンテナポートの数よりも多いことによって引き起こされる、ユーザ装置が各ePDCCHについてチャネル推定を実行できないという問題を回避でき、それによって、ユーザ装置のチャネル推定を実行するための能力を改善し得る。
【００８５】
図4(1)に示されるように、参照信号シーケンスを送信するためのデバイスが、本発明の別の実施形態によって提供され、送信するためのこのデバイスは、図3による実施形態に基づいてさらに拡張、改良され、従って、図3に対応する実施形態の説明は、この実施形態に適用できる。本発明のこの実施形態は、図3に対応する方法の実施形態におけるステップを実行してもよい。方法の実施形態におけるステップについて、本発明のこの実施形態はまた、方法の実施形態におけるステップを実行し、完了するために対応するユニットを使用し得る。
【００８６】
この実施形態によって提供される送信デバイスは、図3に示される実施形態に基づいて、さらに以下を含み得る。
【００８７】
第3の決定ユニット41は、リソースブロックペア中のeCCEまたはeREGの位置と擬似ランダムシーケンスの初期化パラメータの間の対応関係に従って、擬似ランダムシーケンスの初期化パラメータを決定するように構成される。
【００８８】
1つの実施モードとして、リソースブロックペア中のeCCEまたはeREGの位置と擬似ランダムシーケンスの初期化パラメータの間の対応関係は、例えばプロトコル中に合意されるなど、事前設定され得る。方法の実施形態を参照でき、詳細はここでは繰り返さない。
【００８９】
第4の決定ユニット42は、擬似ランダムシーケンスの初期化パラメータに従って、参照信号シーケンスを決定するように構成される。
【００９０】
選択的に、第3の決定ユニット41は、リソースブロックペア中のeCCEまたはeREGの位置と擬似ランダムシーケンスの初期化パラメータの間の対応関係に従って、リソースブロックペア中のePDCCHにマップされる少なくとも1つのeCCEまたはeREGの位置に対応する擬似ランダムシーケンスの初期化パラメータのグループを決定するように具体的に構成され得る。それに応じて、第4の決定ユニット42は、擬似ランダムシーケンスの初期化パラメータの決定したグループに従って、ePDCCH送信をサポートする参照信号シーケンスを決定するように具体的に構成され得る。
【００９１】
選択的に、第3の決定ユニット41は、リソースブロックペア中のeCCEまたはeREGの位置と擬似ランダムシーケンスの初期化パラメータの間の対応関係に従って、リソースブロックペア中のePDCCHにマップされる少なくとも1つのeCCEまたはeREGの位置に対応する擬似ランダムシーケンスの初期化パラメータの少なくとも2つのグループを決定するように具体的に構成され得る。それに応じて、第4の決定ユニット42は、擬似ランダムシーケンスの初期化パラメータの少なくとも2つのグループから、擬似ランダムシーケンスの初期化パラメータの1つのグループを選択するとともに、擬似ランダムシーケンスの初期化パラメータの選択された1つのグループに従って、ePDCCH送信をサポートする参照信号シーケンスを決定するように構成され得、詳細には方法の実施形態の記載を参照できる。
【００９２】
選択的に、図4(2)に示されるように、第4の決定ユニット42は、
【００９３】
【数３】
2015522993.tif 000009
に従って擬似ランダムシーケンスの初期設定値を決定するように構成される第5の決定ユニット421と、ここで、Cinitは擬似ランダムシーケンスの初期設定値であり、ここで、nsはスロット番号であり、nSCIDは、スクランブル識別子であり、nSCIDおよび/またはXは、擬似ランダムシーケンスの初期化パラメータであり、
【００９４】
擬似ランダムシーケンスの初期設定値に従って、擬似ランダムシーケンスの初期設定値に対応する擬似ランダムシーケンスを決定するように構成される第6の決定ユニット422と、
【００９５】
擬似ランダムシーケンスに従って、参照信号シーケンスを決定するように構成される第7の決定ユニット423とを具備し得る。
【００９６】
この実施形態によって提供される参照信号シーケンスを送信するためのデバイスは、基地局でもよいし、またはユーザ装置でもよく、そのことはここでは限定されないことに留意すべきである。
【００９７】
選択的に、この実施形態によって提供される参照信号シーケンスを送信するためのデバイスがユーザ装置である場合、図5に示されるように、この実施形態によって提供されるユーザ装置は、リソースブロックペア中のeCCEまたはeREGの位置と擬似ランダムシーケンスの初期化パラメータの間の対応関係を受信するように構成される受信ユニット51をさらに含み得る。具体的には、受信ユニット51は、高位レイヤシグナリングを介して基地局によって送信される、リソースブロックペア中のeCCEまたはeREGの位置と擬似ランダムシーケンスの初期化パラメータの間の対応関係を受信するように具体的に構成され得る。
【００９８】
例えば、高位レイヤシグナリングは、無線リソース制御(Radio Resource Control、RRC)メッセージであり得、具体的には、RRCメッセージ中の情報要素(Information Element、IE)がサブフレームパラメータを伝送するために使用され得、RRCメッセージは、この実施形態において限定されないが、例えばRRC接続セットアップメッセージ、RRC接続再構成メッセージ、またはRRC接続再確立メッセージなどの、従来技術におけるRRCメッセージであってよく、既存のRRCメッセージ中のIEが対応関係を伝達するために拡張される。あるいは、RRCメッセージは従来技術における既存のRRCメッセージと違ってもよい。
【００９９】
別の例では、高位レイヤシグナリングはまた、メディアアクセス制御(Media Access Control、MAC)制御要素(Control Element、CE)メッセージであってよく、対応関係は新しいMAC CEを追加することによって伝送される。
【０１００】
本発明によって提供される技術的解決策を使用して、リソースブロックペア中のeCCEまたはeREGの位置を決定し、かつ位置に対応するアンテナポートを決定することによって、ePDCCHにマップされるeCCEまたはeREGが、アンテナポート上で多重化され得る。その上、複数のePDCCHがこのように異なる参照信号シーケンスを送信するために同じアンテナポートを使用でき、それによって、リソースブロックペア中のePDCCHの数がアンテナポートの数よりも多いことによって引き起こされる、ユーザ装置が各ePDCCHについてチャネル推定を実行できないという問題を回避でき、それによって、ユーザ装置のチャネル推定を実行するための能力を改善し得る。
【０１０１】
さらに、基地局が、高位レイヤシグナリングを介して参照信号シーケンスのパラメータをユーザ装置に直接通知する場合、このアプローチの結果、各ユーザ装置と参照信号シーケンスの間の静的にまたは準静的結合となり、同じアンテナポートに対応するユーザ装置と参照信号シーケンスとが1つのリソースブロックペア中で多重化され得ないことになり、それゆえ、ユーザ装置の多重化の柔軟性が低下する。本発明中に提供される技術的解決策を使用して、各ユーザ装置と参照信号シーケンスの間の動的結合を達成でき、異なるユーザ装置が1つのリソースブロックペア中で多重化される必要があるとき、異なるユーザ装置のそれぞれのePDCCHのみが異なるeCCEまたはeREGにマップされるために動的に調整される必要があり、アンテナポートがリソースブロックペア中のeCCEまたはeREGの位置に応じて決定され得るので、異なるユーザ装置は、異なるアンテナポートを使用するか、または異なるユーザ装置が同じアンテナポートかつ異なる参照信号シーケンスを使用することを達成でき、その結果、異なるユーザ装置が1つのリソースブロックペア中で多重化され得、それによって、ユーザ装置の多重化の柔軟性が増加する。
【０１０２】
その上、本発明によって提供される技術的解決策を使用して、基地局が、高位レイヤシグナリングを介して参照信号シーケンスのパラメータをユーザ装置に直接通知する必要がなく、それによってエアインタフェースシグナリングのオーバーヘッドを減少でき、エアインタフェースリソースを節約できる。当業者は、利便性および記載が簡潔になるように、上記されたシステム、デバイス、およびユニットの特定の動作プロセスのための上記方法の実施形態における対応するプロセスを参照することができることを明確に理解すべきであり、詳細はここでは繰り返さない。
【０１０３】
本願によって提供される実施形態において、当然、開示されたシステム、デバイス、および方法が別の方法で実装され得る。例えば、上記デバイスの実施形態は単なる具体例である。例えば、ユニットの分割が、論理的機能による単なる分割であり、他の分割モードが実用的な実装において採用されてもよい。例えば、複数のユニットまたは複数の構成要素が、別のシステムに組み合わせられるまたは統合されてもよく、あるいはいくつかの特徴が省略されるかまたは実行されなくてもよい。別の点は、お互いの間の表示されたまたは議論された結合、直接結合、または通信接続が、間接結合、またはいくつかのインタフェース、デバイス、またはユニットを介した通信接続であってよく、かつ電気的、機械的などの形式でもよい。
【０１０４】
別々のコンポーネントとして記載されたユニットは、物理的に別々であってもなくてもよい。ユニットとして示された部分は物理ユニットであってもなくてもよく、すなわち、一か所に位置していてもよいし、複数のネットワークユニット上に分散していてもよい。モジュールの一部または全部は、実施形態の解決策の目的を達成するために実際的な要求に応じて選択され得る。
【０１０５】
加えて、本発明のそれぞれの実施形態における様々な機能ユニットは、1つの処理ユニットに統合されてもよいし、または個別の物理ユニットとして存在してもよく、2つ以上のユニットが1つのユニットに統合されてもよい。統合されたユニットは、ハードウェアまたはソフトウェア機能ユニットの形式で実装されてよく、ハードウェア＋ソフトウェアの形式で実装されてもよい。
【０１０６】
ソフトウェア機能ユニットの形式で実装される統合ユニットは、コンピュータ可読記録媒体に格納され得る。上記ソフトウェア機能ユニットは、コンピュータデバイス(例えば、パーソナルコンピュータ、サーバ、ネットワーク設備など)が本発明の実施形態に応じた方法のステップの一部を実行できるいくつかの命令を含め、記録媒体に格納され得る。記録媒体は、USBディスク、モバイルハードディスク、読み取り専用メモリ(ROM)、ランダムアクセスメモリ(RAM)、磁気ディスク、または光学ディスクなど、プログラムコードを格納可能な種々の媒体を含む。
【０１０７】
最後に、上述の実施形態は、本発明の限定ではなく、単に本発明の技術的解決策を記載するためのものであることに留意すべきである。本発明は、上述の実施形態への参照を伴って詳細に記載されるが、本分野の通常の技術を有する者は、上述の実施形態に記載された技術的解決策に対する変形が可能であり、または、いくつかの技術的特徴への等価交換が可能であるが、これらの変形または交換は、対応する技術的解決策を本発明の実施形態の技術的解決策の精神および範囲から逸脱させることはない。
【符号の説明】
【０１０８】
31  第1の決定ユニット
32  第2の決定ユニット
33  送信ユニット
41  第3の決定ユニット
42  第4の決定ユニット
421  第5の決定ユニット
422  第6の決定ユニット
423  第7の決定ユニット
51  受信ユニット
【図１】
2015522993.tif 000012
【図２】
2015522993.tif 000013
【図３】
2015522993.tif 000014
【図４（１）】
2015522993.tif 000015
【図４（２）】
2015522993.tif 000016
【図５】
2015522993.tif 000017
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
UEまたは前記UEをサービングする基地局において参照信号シーケンスを送信するための方法であって、
リソースブロックペア中の拡張型物理的ダウンリンク制御チャネルePDCCHにマップされる拡張型制御チャネル要素eCCEまたは拡張型リソース要素グループeREGの位置を決定するステップと、
前記リソースブロックペア中の前記eCCEまたは前記eREGの位置と前記参照信号のアンテナポートの間の対応関係に従って、前記参照信号の前記アンテナポートを決定するステップであって、前記リソースブロックペア中の前記eCCEまたは前記eREGの位置と参照信号のアンテナポートの間の対応関係は、少なくとも2つのeCCEまたは少なくとも2つのeREGの位置が参照信号のアンテナポートの1つに対応することを含む、ステップと、
参照信号のアンテナポートを介して参照信号シーケンスを送信するステップと
を有することを特徴とする方法。
【請求項２】
前記リソースブロックペア中の前記ePDCCHにマップされる前記eCCEまたは前記eREGの位置を決定するステップは、
前記リソースブロックペア中の前記ePDCCHにマップされる前記eCCEまたは前記eREGのシリアル番号を決定するステップを有することを特徴とする請求項１に記載の方法。
【請求項３】
前記リソースブロックペア中の前記eCCEまたは前記eREGの位置と前記参照信号の前記アンテナポートの間の前記対応関係は、
エクステンドサイクリックプリフィックスCPの場合、シリアル番号が偶数である前記eCCEまたは前記eREGはアンテナポート7に対応し、シリアル番号が奇数である前記eCCEまたは前記eREGはアンテナポート8に対応するか、または前記エクステンドCPの場合、シリアル番号が偶数である前記eCCEまたは前記eREGはアンテナポート8に対応し、シリアル番号が奇数である前記eCCEまたは前記eREGはアンテナポート7に対応する
ことを含むことを特徴とする請求項２に記載の方法。
【請求項４】
前記リソースブロックペア中の前記eCCEまたは前記eREGの位置と前記参照信号の前記アンテナポートの間の前記対応関係は、
エクステンドサイクリックプリフィックスCPの場合、シリアル番号が0からn-1である前記eCCEまたは前記eREGはアンテナポート7に対応し、シリアル番号がnからN-1である前記eCCEまたは前記eREGはアンテナポート8に対応するか、または前記エクステンドCPの場合、シリアル番号が0からn-1である前記eCCEまたは前記eREGはアンテナポート8に対応し、シリアル番号がnからN-1である前記eCCEまたは前記eREGはアンテナポート7に対応することを含み、
Nは前記eCCEまたは前記eREGの総数であり、nは1以上かつN-1以下の正の整数である
ことを特徴とする請求項２に記載の方法。
【請求項５】
前記参照信号の前記アンテナポートを介して前記参照信号シーケンスを送信するステップの前に、
前記リソースブロックペア中の前記eCCEまたは前記eREGの位置と擬似ランダムシーケンスの初期化パラメータの間の対応関係に従って、前記擬似ランダムシーケンスの前記初期化パラメータを決定するステップと、
前記擬似ランダムシーケンスの前記初期化パラメータに従って、前記参照信号シーケンスを決定するステップと
をさらに有することを特徴とする請求項１から４のいずれか一項に記載の方法。
【請求項６】
前記擬似ランダムシーケンスの前記初期化パラメータに従って、前記参照信号シーケンスを決定するステップは、
【数１】
2015522993.tif 000018
に従って、前記擬似ランダムシーケンスの初期設定値を決定するステップであって、Cinitは前記擬似ランダムシーケンスの前記初期設定値であり、nsはスロット番号であり、nSCIDはスクランブル識別子であり、nSCIDおよび/またはXは、前記擬似ランダムシーケンスの前記初期化パラメータである、ステップと、
前記擬似ランダムシーケンスの前記初期設定値に従って、前記擬似ランダムシーケンスの前記初期設定値に対応する擬似ランダムシーケンスを決定するステップと、
前記擬似ランダムシーケンスに従って、参照信号シーケンスを決定するステップと
を有することを特徴とする請求項５に記載の方法。
【請求項７】
リソースブロックペア中の拡張型物理的ダウンリンク制御チャネルePDCCHにマップされる拡張型制御チャネル要素eCCEまたは拡張型リソース要素グループeREGの位置を決定するように構成される第1の決定ユニットと、
前記リソースブロックペア中の前記eCCEまたは前記eREGの位置と参照信号のアンテナポートの間の対応関係に従って、前記参照信号の前記アンテナポートを決定するように構成される第2の決定ユニットであって、前記リソースブロックペア中の前記eCCEまたは前記eREGの位置と前記参照信号の前記アンテナポートの間の前記対応関係は、少なくとも2つのeCCEまたは少なくとも2つのeREGの位置が前記参照信号のアンテナポートの1つに対応することを含む、第2の決定ユニットと、
前記参照信号の前記アンテナポートを介して参照信号シーケンスを送信するように構成される送信ユニットと
を具備することを特徴とする参照信号シーケンスを送信するためのデバイス。
【請求項８】
前記第1の決定ユニットは、前記リソースブロックペア中の前記ePDCCHにマップされる前記eCCEまたは前記eREGのシリアル番号を決定するように具体的に構成されることを特徴とする請求項７に記載のデバイス。
【請求項９】
前記参照信号シーケンスを送信するための前記デバイスは、
前記リソースブロックペア中の前記eCCEまたは前記eREGの位置と擬似ランダムシーケンスの初期化パラメータの間の対応関係に従って、前記擬似ランダムシーケンスの前記初期化パラメータを決定するように構成される、第3の決定ユニットと、
前記擬似ランダムシーケンスの前記初期化パラメータに従って、前記参照信号シーケンスを決定するように構成される、第4の決定ユニットと
をさらに具備することを特徴とする請求項７または８に記載のデバイス。
【請求項１０】
前記第4の決定ユニットは、
【数２】
2015522993.tif 000019
に従って、前記擬似ランダムシーケンスの初期設定値を決定するように構成される、第5の決定ユニットであって、Cinitは前記擬似ランダムシーケンスの前記初期設定値であり、nsはスロット番号であり、nSCIDはスクランブル識別子であり、nSCIDおよび/またはXは、前記擬似ランダムシーケンスの前記初期化パラメータである、第5の決定ユニットと、
前記擬似ランダムシーケンスの前記初期設定値に従って、前記擬似ランダムシーケンスの前記初期設定値に対応する擬似ランダムシーケンスを決定するように構成される、第6の決定ユニットと、
前記擬似ランダムシーケンスに従って、参照信号シーケンスを決定するように構成される、第7の決定ユニットと
を具備することを特徴とする請求項９に記載のデバイス。
【手続補正２】
【補正対象書類名】明細書
【補正対象項目名】００２１
【補正方法】変更
【補正の内容】
【００２１】
例えば、エクステンドCPの場合、現在のところアンテナポート7およびアンテナポート8のみが使用に利用可能である。エクステンドCPの場合、ユーザ装置の数が2より多い場合、アンテナポートを介して対応する参照信号シーケンスを送信することが不可能であることがある。本発明によって提供される技術的解決策において、異なるユーザ装置(具体的には、異なるユーザ装置が占有するePDCCHであり得る)は、異なるeCCEまたはeREGにマップされ、参照信号シーケンスを送信するために使用され得るアンテナポートがリソースブロックペア中のeCCEまたはeREGの位置に従って決定される。エクステンドCPの場合、アンテナポート7およびアンテナポート8のみが使用に利用可能であり、異なるユーザ装置が占有するePDCCHは、異なるeCCEまたはeREGにマップされる。例として、シリアル番号がそれぞれeCCE0、eCCE1、eCCE2、およびeCCE3である、4つeCCEまたはeREGを含むリソースブロックペアを取り上げる。選択的に、シリアル番号が偶数であるeCCEまたはeREGがアンテナポート7に対応し、シリアル番号が奇数であるeCCEまたはeREGがアンテナポート8に対応するか、または、別法として、シリアル番号が偶数であるeCCEまたはeREGがアンテナポート8に対応し、シリアル番号が奇数であるeCCEまたはeREGがアンテナポート7に対応する。選択的に、エクステンドサイクリックプリフィックスCPの場合、シリアル番号が0からn-1であるeCCEまたはeREGがアンテナポート7に対応し、かつシリアル番号がnからN-1であるeCCEまたはeREGが、アンテナポート8に対応するか、または、エクステンドCPの場合、シリアル番号が0からn-1であるeCCEまたはeREGがアンテナポート8に対応し、かつシリアル番号がnからN-1であるeCCEまたはeREGがアンテナポート7に対応する。ここで、NはeCCEまたはeREGの総数であり、nは1以上かつN-1以下の正の整数である。
【手続補正３】
【補正対象書類名】明細書
【補正対象項目名】０１０７
【補正方法】変更
【補正の内容】
【０１０７】
最後に、上述の実施形態は、本発明の限定ではなく、単に本発明の技術的解決策を記載するためのものであることに留意すべきである。本発明は、上述の実施形態への参照を伴って詳細に記載されるが、本分野の通常の技術を有する者は、上述の実施形態に記載された技術的解決策に対する変形が可能であり、または、いくつかの技術的特徴への等価交換が可能であるが、これらの変形または交換は、対応する技術的解決策を本発明の実施形態の技術的解決策の範囲から逸脱させることはない。
【国際調査報告】
2015522993.tif 000020
2015522993.tif 000021
2015522993.tif 000022
2015522993.tif 000023
2015522993.tif 000024
2015522993.tif 000025